(57)【特許請求の範囲】
【請求項１】
オーバースプレーされた水系塗料を捕集するフィルターまたは湿式集塵機の手前に、メチルシリケート系親水剤が塗装されて水に対する接触角７０°以下の材料からなる板状、パイプ状またはひも状の捕集材をすだれ状に配置し、水系塗料を該捕集材上に付着させて回収することを特徴とする水系塗料の回収方法。
【請求項２】
捕集材のすだれを、間隔を空けて２列以上配置することを特徴とする請求項１記載の水系塗料の回収方法。
【請求項３】
オーバースプレーされた水系塗料を捕集するフィルターまたは湿式集塵機の手前に、メチルシリケート系親水剤が塗装されて水に対する接触角７０°以下の材料からなる板状、パイプ状またはひも状の捕集材をすだれ状に配置したことを特徴とする水系塗料の回収装置。
【請求項４】
捕集材のすだれを、間隔を空けて２列以上配置することを特徴とする請求項３記載の水系塗料の回収装置。
【発明の詳細な説明】
【０００１】
【発明の属する技術分野】
本発明は、オーバースプレーされた塗料を容易に回収し、そのまままたは簡単な調整で塗料として再使用できる水系塗料の回収方法及び回収装置に関する。
【０００２】
【従来の技術】
従来から環境汚染防止、リサイクルによる省資源化などを目的として、物品を塗装する際にオーバースプレーされた塗料を回収している。回収方法は、乾式法と湿式法とに大別され、乾式法は、囲い板や、グラスウール、不織布、ペーパーなどで作られた濾過フィルターにオーバースプレーされた塗料を捕集する方法である。湿式法は、水やオイルなどの液体ミスト、カーテン状の液流、回収液タンクなどにオーバースプレーされた塗料を捕集する方法である。
【０００３】
【発明が解決しようとする課題】
しかしながら、乾式法では、囲い板や、グラスウール、不織布、ペーパーなどで作られた濾過フィルターに捕集されたオーバースプレー塗料は、剥離除去することが困難なため、一定期間使用した後は、濾過フィルター、オーバースプレー塗料共に再使用することなく廃棄するのが一般的であり、交換用フィルターなどにかかるランニングコストの増加や、産業廃棄物生成による環境汚染の問題がある。湿式法では、水やオイルなどの液体ミスト、カーテン状の液流、回収液タンクなどに捕集したオーバースプレー塗料を、不粘着剤と呼ばれる薬剤を使用して固液分離し、固体状にして廃棄することが一般的であり、産業廃棄物生成による環境汚染の問題がある。また、湿式法では、オーバースプレー塗料を捕集した回収液を濃縮して塗料を再生し、再使用することも行われているが、その際の濃縮、塗料調整などは容易ではなかった。このような現状から、オーバースプレーされた塗料を容易に回収し、そのまままたは簡単な調整で塗料として再使用できる水系塗料の回収方法及び回収装置の出現が求められていた。
【０００４】
【課題を解決するための手段】
本発明者らは、前記の課題を解決すべく、鋭意検討を行った結果、オーバースプレーされた水系塗料を捕集するフィルターまたは湿式集塵機の手前に、メチルシリケート系親水剤が塗装されて水に対する接触角７０°以下の材料からなる板状、パイプ状またはひも状の捕集材をすだれ状に配置することによって、オーバースプレー塗料が捕集材上に付着し、付着した塗料が重力方向に流れ落ち、結果として、捕集材の下方で、そのまままたは簡単な調整で塗料として再使用可能な状態で回収できることを見出し、本発明を完成した。
【０００５】
即ち、本発明は、オーバースプレーされた水系塗料を捕集するフィルターまたは湿式集塵機の手前に、メチルシリケート系親水剤が塗装されて水に対する接触角７０°以下の材料からなる板状、パイプ状またはひも状の捕集材をすだれ状に配置して、水系塗料を該捕集材上に付着させて回収することを特徴とする水系塗料の回収方法である。
【０００６】
また、本発明は、オーバースプレーされた水系塗料を捕集するフィルターまたは湿式集塵機の手前に、メチルシリケート系親水剤が塗装されて水に対する接触角７０°以下の材料からなる板状、パイプ状またはひも状の捕集材をすだれ状に配置したことを特徴とする水系塗料の回収装置である。
【０００７】
【発明の実施の形態】
本発明において使用する捕集材は、スプレー塗装ブースに設置するのが好ましいが、それ以外の場所においても使用することができる。捕集材は、オーバースプレーされた水系塗料を捕集するフィルターまたは湿式集塵機の手前に設置する必要がある。
【０００８】
本発明で使用する捕集材は、メチルシリケート系親水剤が塗装されて水に対する接触角が７０°以下の材料からなり、形状は板状、パイプ状またはひも状である。捕集材はすだれ状に配置する。また、捕集材のすだれは、間隔を空けて２列以上配置することが好ましい。
【０００９】
接触角７０°以下の材料としては、メチルシリケート系親水剤が塗装されて接触角を７０°以下とした材料である。
【００１０】
本発明で使用する捕集材の上方には、溶液を霧化することができる機器、または、キー穴もしくはスリット状に穴の開いた配管を設置し、配管中に純水または調整剤などの塗料に混入しても悪影響を与えない溶液を、塗料の回収のために必要最小限の量、前記穴から捕集材へ流すようにする。
【００１１】
本発明で使用する捕集材の形状は、１〜４００×１，０００〜３，０００ｍｍ程度の板状のものが好ましく、すだれ状に配置する際の間隔は、１０〜１５０ｍｍが好ましい。また、捕集材のすだれは、間隔を空けて２列以上配置するのが好ましく、前列は、床面との間隔が、０〜２００ｍｍ、２列目以降の間隔は、床面から、２００〜５００ｍｍが好ましい。更に、捕集材の下方には、Ｕ状、Ｖ状の雨どいのような形状の回収路を設置するのが好ましい。
【００１２】
本発明で使用する塗装方法としては、エアスプレー塗装、エアレススプレー塗装、静電塗装などの塗装方法や、シャワー塗装、カーテンフロー塗装などの塗装方法が挙げられる。
【００１３】
本発明で使用する塗料としては、水溶性塗料や水分散型塗料などの水を含有する水系塗料であれば使用できる。例えば、アルキッド樹脂系塗料、アクリル樹脂系塗料、ポリエステル樹脂系塗料、ビニル樹脂系塗料、メラミン樹脂系塗料、エポキシ樹脂系塗料、ウレタン樹脂系塗料、フッ素樹脂系塗料などが挙げられる。
【００１４】
本発明では、捕集材上に付着したオーバースプレー塗料が重力方向に流れ落ちるので、これを捕集材の下方で回収するが、傾斜方向に、本発明の捕集材やビニールシートなどの塗料が吸着しにくい材料を配置して捕集材の側方でオーバースプレー塗料を回収することもできる。オーバースプレー塗料が重力方向に流れ落ちた先に、塗料を溜めておける回収タンクを設置することができる。回収した塗料は、そのまままたは調整して再使用することができる。調整が必要な場合は、オーバースプレー塗料の構成成分によって、例えば水などの希釈剤や、アミン類、酸類などの中和剤や、アルコール系、グリコール系、セロソルブ系などの溶剤や、その他の添加剤などを添加、混合、濾過して、再使用することができる。
【００１５】
【実施例】
次に、本発明の実施例について説明する。
＜塗料Ａの作成＞
変性熱硬化アクリル樹脂ワニス：６０部、酸化チタン：２５部、メチルシリケート系親水剤：６部、炭化水素系溶剤：９部を混合し、塗料Ａを作成した。
【００１６】
＜塗料Ｂの作成＞
変性熱硬化アクリル樹脂ワニス：６０部、酸化チタン：２５部、メチルシリケート系親水剤：１０部、炭化水素系溶剤：５部を混合し、塗料Ｂを作成した。
【００１７】
＜塗料Ｃの作成＞
変性熱硬化アクリル樹脂ワニス：６０部、酸化チタン：２５部、炭化水素系溶剤：１５部を混合し、塗料Ｃを作成した。
【００１８】
＜捕集材の作成＞
塗料Ａ〜Ｃをそれぞれ、２００×２０００ｍｍ、厚さ３．０ｍｍのステンレス材に塗装した。塗料Ａ〜Ｃを塗装した材料をそれぞれ、捕集材Ａ〜Ｃとした。捕集材Ａ〜Ｃの表面の接触角はそれぞれ、６２°、４５°、８５°であった。
【００１９】
実施例１、２及び比較例１
乾式スプレー塗装ブースの手前に、前記捕集材Ａ（実施例１）、Ｂ（実施例２）及びＣ（比較例１）をそれぞれ、図１のようにすだれ状に配置し、更に後部にも同様の捕集材を間隔を置いて図２のようにすだれ状に配置し、捕集材の下方にオーバースプレー塗料回収容器を置いた。また、捕集材は、図１の如く冷却水を循環するパイプ状物の下部に取り付けた。パイプ状物には約１ｃｍ間隔で直径３ｍｍの穴が開いている。その後、テクノン＃２００（大日本塗料株式会社製商品名：調整剤にてＮＶ＝４０％に希釈；塗着効率５０％）を、吐出量３００ｇ／分で３時間塗装を行った。
【００２０】
その結果を表１に示す。
【００２１】
0004060435.tif 000002
【００２２】
【発明の効果】
本発明の水系塗料の回収方法及び回収装置によれば、オーバースプレーされた塗料を、そのまままたは簡単な調整で再使用可能な塗料として容易に回収できる。
【図面の簡単な説明】
【図１】捕集材の配置の模式正面図である。
【図２】捕集材の配置の模式平面図である。
【図１】
0004060435.tif 000003
【図２】
0004060435.tif 000004